(57)【要約】【課題】  超純水で絶縁体を作り、また超純水に酸化亜鉛の粉末を混ぜ超伝導体を作る。  この組み合わせを考え透明ガラスにそれらを入れ、両サイドから赤外線ＬＥＤを照射する。  あるいは片方から太陽光か赤外線ＬＥＤを、他方に反射可能な強化ガラスを用いて照射する。この考えで超伝導体蓄電池装置を作った。【解決手段】透明ガラス容器を３槽にして、外側２槽に超純水を真ん中の槽に超純水と酸化亜鉛の粉末を入れる。両サイドから赤外線ＬＥＤを照射して絶縁体と超伝導体を作った。  電子も発生して、超伝導体蓄電池が完成した。【選択図】図１
2017195168.tif 000002
【特許請求の範囲】
【請求項１】
超純水と酸化亜鉛で太陽光を用い光合成を通じて超伝導体蓄電池と発電（ソーラー発電と蓄電）を作る装置。
【請求項２】
超純水と酸化亜鉛で赤外線ＬＥＤを用い光合成を通じて超伝導体蓄電池を作る装置。
【請求項３】
超純水と酸化亜鉛で落雷（雷）の一部の電気を貯める装置。
【請求項４】
ＬＥＤ（フイリップＬＥＤ「ＧｒｅｅｎＰｏｗｅｒＬＥＤ」シーシーエス株式会社同等品）を光源として、透明ガラス容器に超純水と酸化亜鉛を入れ照射して光合成を通じて超伝導体蓄電池を製造する装置。
【発明の詳細な説明】
【技術分野】
【０００１】本発明は、超伝導体を作りそれに電気を貯める装置である。  電気は抵抗があると損失が生じて熱などに変わって無くなってしまう。
本装置は超伝導帯を持って電子あるいは電子イオンを貯める装置である。酸化物半導体（ＣｕＡＬＯ２、ＺｎＯ、ＩＴＯ等）特にＺｎＯ酸化亜鉛に光を当てると、その部分が導電化することによって表面に帯電した電荷が出る。金属元素はアンチモンＳｂ以外ほとんど陽イオン（カチオン）である。  この性質を利用して発明した装置に電気を貯める方法を考案した。
【背景技術】
【０００２】超伝導はすでに開発されている。  イットリウムやインジウムなど使用していろいろな酸化物を作り超電導体を考案されている。
もちろん酸化物半導体を利用しても開発されている。  しかし、本発明は水中で光合成を通じて超伝導体を作り出すもので、これは一般に採用されていない。使用酸化物半導体は酸化亜鉛を使用する。
【先行技術文献】
【特許文献】
【０００３】現在の超電導体はイットリウムやインジウムなど高価な物質を利用して作り出している。製作過程も大変複雑である。
本発明は水中で光合成を通じて電気抵抗帯を作り、また一方で光合成を通じて超伝導帯を作るものである。
水中での光合成ではＨ＋とＨ−が発生するためイオン結合は陽イオンと陰イオンとの強い静電引力によって絶縁体となる。  しかし、陽イオンと陰イオンの組み合わせによっては静電引力が弱く半導体となる。化合物半導体となる元素の組み合わせは代表的なものにＩＩＩ族とＶ族元素、ＩＩ族とＶＩ族元素がある。酸化亜鉛はＩＩ−ＶＩ族半導体である。（亜鉛はＩＩ族、酸素はＶＩ族）
このような超伝導体は初めてである。
もともと水は不純物がなければ絶縁体である。  一般に水と言えば飲料水を指すが本発明には超純水の不純物の含まない蒸留水を使用する。
【発明の概要】
【発明が解決しようとする課題】
【０００４】外側を頑固な抵抗帯とするため、ガラス＋超純水で行い内部を伝導体とする。伝導体は超純水に酸化物半導体の酸化亜鉛ＺｎＯの粉末を入れる。したがって、抵抗体＋伝導体＋抵抗体とする。
【課題を解決するための手段】
【０００５】３槽になったガラス容器に超純水を入れる。  真ん中の槽に酸化亜鉛の粉末を入れる。  こうすることで、ガラス面＋超純水＋ガラス面＋超純水と酸化亜鉛の粉末＋ガラス面＋超純水＋ガラス面、となる。
これに両サイドから赤外線ＬＥＤを照射する。
（イ）  ガラスの厚さと容器の厚さ（内法）は次による。
５ｍｍ（ガラス）＋３ｍｍ（内法）＋５ｍｍ（ガラス）＋４ｍｍ（内法）＋５ｍｍ（ガラス）＋３ｍｍ（内法）＋５ｍｍ（ガラス）
（ロ）外側の３ｍｍ（内法）の容器（空間）に超純水を真ん中の４ｍｍ（内法）の容器（空間）に超純水と酸化亜鉛の粉末を入れる。
（ハ）３層の幅は１００ｍｍ、高さは１００ｍｍとする。厚さは３０ｍｍである。底面、上面、端面等はガラスで厚さは５〜７ｍｍである。
（ニ）両側面に赤外線ＬＥＤ（シーシーエス株式会社のアグリバイオ用照明、最大光量約１，０００μｍｏｌ−ｍ−２ｓ−１以上）を設置して、その装置全体を不燃材で囲み、内側を黒体にする。
（ホ）３槽に別れているうちの真ん中の槽の両方の端に電極帯を入れる。
赤外線ＬＥＤにはコントローラーが付いていてアースを取るようになっている。
（ヘ）コントローラーに付いているコンセントから電気を送ると、赤外線ＬＥＤが点灯して３槽のガラス容器に照射される。
（ト）酸化亜鉛に光を当てると、その部分が導電化することによって表面に帯電した電荷が出る。
（チ）また赤外線ＬＥＤの変わりに、太陽光を使用するとソーラー発電と蓄電池の役目もする。ただ太陽光の場合は片面からになるので、一部強化ガラスを使う。順番を書くと、太陽光＋ガラス＋超純水＋ガラス＋超純水と酸化亜鉛＋強化ガラス＋超純水＋強化ガラス。
強化ガラスを使う理由は一部反射、一部透過するからである。
厚みを極薄くすると、いろいろなところで使用できる。
【発明の効果】
【０００６】（イ）蓄電池として自動車や家庭用電灯の電源に使用できる。
（ロ）家庭用機器や事務機器の電源に使用できる。
（ハ）厚みを極薄くすると、携帯電話やラジオ、カメラ、時計などのソーラー電源及びバッテリーに出来る。
（ニ）ユニットを継ぎ合わせて巨大容量にすれば、落雷（雷）の電気の一部を貯めることが出来る。（昔の諺に、雷が井戸に入り井戸の蓋をして雷を捕まえたとある。）（避雷針を取り付け、アース板とこの大容量超伝導蓄電池を並立に取り付ければ、一部の電気が蓄電池に流れてくる。それと同時にその回路を切れば電気は貯められる。
【図面の簡単な説明】
【０００７】
【図１】  本発明の斜視図である。
【図２】  本発明の一部を切り欠いた側面図である。
【図３】  本発明の他の実施例を示した斜視図である。
【発明を実施するための形態】
【０００８】以下に本発明の超伝導蓄電池装置の概要を説明する。
本発明の基本は光合成を通じてこの装置が成り立っていることである。
赤外線ＬＥＤでも太陽光でも同じだが、片面から光を照射するには反射面が必要である。本装置を説明するに当たり、赤外線ＬＥＤを両サイドから照射する方法を説明する。
赤外線ＬＥＤ光→第１槽＋  第２槽  ＋第３槽←光  赤外線ＬＥＤ
（真ん中の槽）
第１槽
光子→←光子…−−−―――−  Ｈ＋  ＋  Ｈ−
（光合成反応）            （２Ｈｅ  →  ジプロトン）
超純水での電気的絶縁体になる理由は不純物がないためかも知れないが、光合成が出来易くなるためＨ＋とＨ−が発生しイオン結合は陽イオンと陰イオンとの強い静電引力によって絶縁体となる。
第２槽
ＺｎＯ＋Ｈ２Ｏ＋２Ｈｅ→ＺｎＯ＋Ｈ＋＋ＯＨ−＋２Ｈｅ
→Ｚｎ＋＋＋２ＯＨ−＋２ｅ（電子）
このように電子（ｅ）が貯まる。
第３槽
第１槽と同じで絶縁体になる。
【構造】
【０００９】一番普通の超伝導体蓄電池の構造を示す。これから変化して、超薄型の超伝導体蓄電池も同じ原理である。
（イ）透明ガラス５ｍｍで３槽の容器を作る。厚さは３０ｍｍ（外面）（５ｍｍ＋３ｍｍ（内法）＋５ｍｍ＋４ｍｍ（内法）＋５ｍｍ＋３ｍｍ（内法）＋５ｍｍ）
大きさは１００ｍｍ×１００ｍｍである。
（ロ）真ん中の槽の両端に白金電極を取り付ける。
アノード側（＋極）に電子（ｅ）がカソード側（−極）にＺｎ＋＋が引き寄せられる。
（ハ）赤外線ＬＥＤとそのコントローラーをガラス面の両外側に配置する。赤外線ＬＥＤにシーシーエス株式会社のＬＥＤを使用し最大光量約１，０００μｍｏｌ−１ｍ−２ｓ−１以上とする。
（ニ）この装置においてはこれらの器具全体を不燃材で覆う。内部は黒色とする。
（ホ）コントローラーと赤外線ＬＥＤを繋ぎ、コントローラーからプラグをコンセントに繋ぐ、その際アースも接続する。
コントローラーには通電時の表示灯ＬＥＤとスイッチが付いている。
【本発明を使用するときは以下の手順で行う】
【００１０】（イ）ガラス容器３槽に超純水と真ん中の槽に酸化亜鉛が入っていることを確認する。
（ロ）コントローラーの電源がコンセントに繋がれていることを確認する。
（ハ）確認が終われば、コントローラーに付いている通電スイッチ（両サイドの赤外線ＬＥＤ用）を入れる。通電表示灯が点灯する。
（ニ）真ん中の槽に設置していた電極からのリード線を電灯（ＬＥＤ）に繋いでおいて、電灯が点灯すると充電が終りである。
【符号の説明】
【００１１】１．透明ガラス容器（３槽）
２．超純水
３．超純水と酸化亜鉛粉末
４．白金電極
５．電極リード線
６．充電が出来たか確認用電灯
７．赤外線ＬＥＤ
８．コントローラー（通電表示灯、スイッチ付）
９．電源用プラグ
１０．アース線
１１．コンセント
１２．外装（不燃材、内部黒色）
１３．超伝導体蓄電池取手
【図１】
2017195168.tif 000003
【図２】
2017195168.tif 000004
【図３】
2017195168.tif 000005